【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
中間デバイスによって受信デバイスに送信するための送信データを受信し、
前記送信データを前記中間デバイスと前記受信デバイスの間の送信パスのおける次の下位の中間デバイス若しくは前記受信デバイスに転送し、
前記中間デバイスと前記受信デバイスの間の往復送信時間に従ってセットされるタイマを始動させ、
補助受信インディケータを生成させ、
もし前記タイマが時間切れとなる前に前記中間デバイスが少なくとも１つの受信インディケータと１つ若しくは複数の補助受信インディケータを受信したならば、
前記生成された補助受信インディケータを少なくとも１つの前記受信インディケータと１つ若しくは複数の下位の前記補助受信インディケータに加え、
少なくとも１つの前記受信インディケータと、１つ若しくは複数の下位の前記補助受信インディケータ、及び追加され生成された前記補助受信インディケータを、前記中間デバイスと前記送信デバイスの間の送信パスにおける次の下位の中間デバイス、若しくは送信デバイスに送信し、
もし前記タイマが時間切れとなる前に前記中間デバイスが少なくとも１つの受信インディケータまたは１つ若しくは複数の補助受信インディケータを受信しなかったならば、
生成された前記補助受信インディケータを、前記次の下位の中間デバイス、若しくは送信デバイスに送信し、
前記送信データが新規データを含むかを決定し、
もし前記送信データが新規データを含むならば、前記中間デバイスの格納領域に新規データを格納し、
前記送信データが再送信データを含むかを決定し、
もし前記送信データが再送信データを含むならば、前記中間デバイスの格納領域から前記再送信データを取り込み、
前記中間デバイスと前記受信デバイスの間の送信パスにおける次の中間デバイス若しくは前記受信デバイスに前記送信データ及び前記再送信データを転送することをさらに有することを特徴とする無線通信システムの送信制御方法。
【請求項２】
無線通信のための無線通信デバイスであって、
データ及びインストラクションを格納する少なくとも１つのメモリと、
前記メモリにアクセスする構成とされる少なくとも１つのプロセッサーと、
インストラクションを実行するに際し、
当該無線通信デバイスによって受信デバイスに送信するための送信データを受信し、
前記送信データを当該無線送信デバイスと前記受信デバイスの間の送信パスのおける次の下位の中間デバイス若しくは前記受信デバイスに転送し、
当該無線送信デバイスと前記受信デバイスの間の往復送信時間に従ってセットされるタイマを始動させ、
補助受信インディケータを生成させ、
もし前記タイマが時間切れとなる前に当該無線送信デバイスが少なくとも１つの受信インディケータと１つ若しくは複数の補助受信インディケータを受信したならば、
前記生成された補助受信インディケータを少なくとも１つの前記受信インディケータと１つ若しくは複数の下位の前記補助受信インディケータに加え、
少なくとも１つの前記受信インディケータと、１つ若しくは複数の下位の前記補助受信インディケータ、及び追加され生成された前記補助受信インディケータを、当該無線通信デバイスと前記送信デバイスの間の送信パスにおける次の下位の中間デバイス、若しくは送信デバイスに送信し、
もし前記タイマが時間切れとなる前に当該無線通信デバイスが少なくとも１つの受信インディケータまたは１つ若しくは複数の補助受信インディケータを受信しなかったならば、
生成された前記補助受信インディケータを、前記次の下位の中間デバイス、若しくは送信デバイスに送信し、
前記少なくとも１つのプロセッサーは、
前記送信データが新規データを含むかを決定し、
もし前記送信データが新規データを含むならば、当該無線通信デバイスの格納領域に新規データを格納し、
前記送信データが再送信データを含むかを決定し、
もし前記送信データが再送信データを含むならば、当該無線通信デバイスの格納領域から前記再送信データを取り込み、
当該無線通信デバイスと前記受信デバイスの間の送信パスにおける次の中間デバイス若しくは前記受信デバイスに前記送信データ及び前記再送信データを転送するように構成されていることを特徴とする無線通信デバイス。
【請求項３】
無線通信システムにおける無線通信デバイスを作動させる方法であって、
第１の状態が初期状態であり、デバイス状態を該第１の状態にセットし、
第２の状態はデータが送信されリレータイマがまだ期限切れでないところの状態とされ、第１の誘因事象の発生により、前記デバイス状態を前記第１の状態から前記第２の状態に変化させ、
リレータイマの期限が切れたとき、前記デバイス状態を前記第２の状態から第３の状態に変化させ、データの再送信を開始し、
リレータイマの期限が切れておらず且つ当該中間ノードＮＡＣＫインディケータ、終端ノードＮＡＣＫインディケータ、若しくはタイムアウトのいずれかを無線通信デバイスが受信したとき、前記デバイス状態を前記第２の状態から前記第３の状態に変化させ、
当該無線通信デバイスが終端ノードＮＡＣＫインディケータを受信し且つリレータイマの期限が切れていないとき、前記デバイス状態を前記第２の状態から第４の状態に変化させ、
前記無線通信デバイスが中間ノードＡＣＫインディケータを受信したとき、前記デバイス状態として前記第２の状態を維持し、
前記デバイス状態が前記第３の状態であり且つ前記無線通信デバイスが中間ノードＡＣＫインディケータか再送信インディケータを受信したとき、前記デバイス状態として前記第３の状態を維持することを特徴とする無線通信デバイスの作動方法。
【請求項４】
無線通信システムにおける無線通信デバイスを作動させる方法であって、
第１の状態が初期状態であり、デバイス状態を該第１の状態にセットし、
第２の状態はデータが送信されリレータイマがまだ期限切れでないところの状態とされ、第１の誘因事象の発生により、前記デバイス状態を前記第１の状態から前記第２の状態に変化させ、
リレータイマの期限が切れたとき、前記デバイス状態を前記第２の状態から第３の状態に変化させ、データの再送信を開始し、
リレータイマの期限が切れておらず且つ当該中間ノードＮＡＣＫインディケータ、終端ノードＮＡＣＫインディケータ、若しくはタイムアウトのいずれかを無線通信デバイスが受信したとき、前記デバイス状態を前記第２の状態から前記第３の状態に変化させ、
当該無線通信デバイスが終端ノードＮＡＣＫインディケータを受信し且つリレータイマの期限が切れていないとき、前記デバイス状態を前記第２の状態から第４の状態に変化させ
もし前記デバイス状態が第５の状態であり且つ前記無線通信デバイスが終端ノードＡＣＫインディケータを受信するとき、前記デバイス状態を前記第５の状態から前記第４の状態に変化させ、
前記デバイス状態が第５の状態であり且つ前記無線通信デバイスが中間ノードＡＣＫインディケータを受信するとき、前記第５の状態を前記デバイス状態として維持し、
前記デバイス状態が前記第２の状態若しくは前記第４の状態のいずれかとされ且つ前記無線通信デバイスがデータ存続期間のタイムアウトを受信するとき、前記デバイス状態を前記第２の状態若しくは前記第４の状態のいずれかから前記第５の状態に変化させることをさらに有することを特徴とする無線通信デバイスの作動方法。
【請求項５】
無線通信用の無線通信デバイスであって、
データ及びインストラクションを格納する少なくとも１つのメモリと、
前記メモリにアクセスする構成とされる少なくとも１つのプロセッサーと、
インストラクションを実行するに際し、
第１の状態が初期状態であり、デバイス状態を該第１の状態にセットし、
第２の状態はデータが送信されリレータイマがまだ期限切れでないところの状態とされ、第１の誘因事象の発生により、前記デバイス状態を前記第１の状態から前記第２の状態に変化させ、
リレータイマの期限が切れたとき、前記デバイス状態を前記第２の状態から第３の状態に変化させ、データの再送信を開始し、
リレータイマの期限が切れておらず且つ当該中間ノードＮＡＣＫインディケータ、終端ノードＮＡＣＫインディケータ、若しくはタイムアウトのいずれかを無線通信デバイスが受信したとき、前記デバイス状態を前記第２の状態から前記第３の状態に変化させ、
当該無線通信デバイスが終端ノードＮＡＣＫインディケータを受信し且つリレータイマの期限が切れていないとき、前記デバイス状態を前記第２の状態から第４の状態に変化させ、
前記プロセッサーは、前記無線通信デバイスが中間ノードＡＣＫインディケータを受信したとき、前記デバイス状態として前記第２の状態を維持し、
前記デバイス状態が前記第３の状態であり且つ前記無線通信デバイスが中間ノードＡＣＫインディケータか再送信インディケータを受信したとき、前記デバイス状態として前記第３の状態を維持するように構成されてなることを特徴とする無線通信用の無線通信デバイス。
【請求項６】
無線通信用の無線通信デバイスであって、
データ及びインストラクションを格納する少なくとも１つのメモリと、
前記メモリにアクセスする構成とされる少なくとも１つのプロセッサーと、
インストラクションを実行するに際し、
第１の状態が初期状態であり、デバイス状態を該第１の状態にセットし、
第２の状態はデータが送信されリレータイマがまだ期限切れでないところの状態とされ、第１の誘因事象の発生により、前記デバイス状態を前記第１の状態から前記第２の状態に変化させ、
リレータイマの期限が切れたとき、前記デバイス状態を前記第２の状態から第３の状態に変化させ、データの再送信を開始し、
リレータイマの期限が切れておらず且つ当該中間ノードＮＡＣＫインディケータ、終端ノードＮＡＣＫインディケータ、若しくはタイムアウトのいずれかを無線通信デバイスが受信したとき、前記デバイス状態を前記第２の状態から前記第３の状態に変化させ、
当該無線通信デバイスが終端ノードＮＡＣＫインディケータを受信し且つリレータイマの期限が切れていないとき、前記デバイス状態を前記第２の状態から第４の状態に変化させ、
前記プロセッサーは、もし前記デバイス状態が第５の状態であり且つ前記無線通信デバイスが終端ノードＡＣＫインディケータを受信するとき、前記デバイス状態を前記第５の状態から前記第４の状態に変化させ、
前記デバイス状態が第５の状態であり且つ前記無線通信デバイスが中間ノードＡＣＫインディケータを受信するとき、前記第５の状態を前記デバイス状態として維持するように構成されてなることを特徴とする無線通信用の無線通信デバイス。
【請求項７】
無線通信用の無線通信デバイスであって、
データ及びインストラクションを格納する少なくとも１つのメモリと、
前記メモリにアクセスする構成とされる少なくとも１つのプロセッサーと、
インストラクションを実行するに際し、
第１の状態が初期状態であり、デバイス状態を該第１の状態にセットし、
第２の状態はデータが送信されリレータイマがまだ期限切れでないところの状態とされ、第１の誘因事象の発生により、前記デバイス状態を前記第１の状態から前記第２の状態に変化させ、
リレータイマの期限が切れたとき、前記デバイス状態を前記第２の状態から第３の状態に変化させ、データの再送信を開始し、
リレータイマの期限が切れておらず且つ当該中間ノードＮＡＣＫインディケータ、終端ノードＮＡＣＫインディケータ、若しくはタイムアウトのいずれかを無線通信デバイスが受信したとき、前記デバイス状態を前記第２の状態から前記第３の状態に変化させ、
当該無線通信デバイスが終端ノードＮＡＣＫインディケータを受信し且つリレータイマの期限が切れていないとき、前記デバイス状態を前記第２の状態から第４の状態に変化させ、
前記プロセッサーは、前記デバイス状態が第５の状態であり且つ前記無線通信デバイスが中間ノードＡＣＫインディケータを受信するとき、前記第５の状態を前記デバイス状態として維持し、
前記デバイス状態が前記第２の状態若しくは前記第４の状態のいずれかとされ且つ前記無線通信デバイスがデータ存続期間のタイムアウトを受信するとき、前記デバイス状態を前記第２の状態若しくは前記第４の状態のいずれかから前記第５の状態に変化させるように構成されてなることを特徴とする無線通信用の無線通信デバイス。